(57)【要約】【課題】  別途の把手専用の部品を新たに付加することなく、また、側面や上面には把手のための突出部を有せず、狭いスペースでも隣接した他の機器と干渉することのない把手を有するノイズフィルタを提供する。【解決手段】  本願発明に係るノイズフィルタ１，２０は、フィルタ回路部を囲包する筐体２の端子台６に隣接して該筐体の両端部に、アース端子１６を保持する張出し板を設け、この張出し板を筐体２の側板方向へ伸長させて把手部としたものである。この場合、張出し板は、端子台６に隣接した端板７に締着されたＬ形部材１４で構成し、このＬ形部材１４の上辺部１４ａを、アース端子１６が取り付けられた把手部とするか、あるいは端子台６に隣接した端板２１の縁部をＬ形に外方へ折曲した張出し部１７で構成し、この張出し部１７を、アース端子１６が取り付けられた把手部とする。【選択図】  図１
2011244408.tif 000002
【特許請求の範囲】
【請求項１】
フィルタ回路部を囲包する外殻筐体の端子台に隣接して該筐体の両端部に、アース端子を保持する張出し板を設け、前記張出し板を前記筐体の側板方向へ伸長させて把手部としたことを特徴とするノイズフィルタ。
【請求項２】
フィルタ回路部を囲包する外殻筐体の端子台に隣接して該筐体の両端部に、アース端子を形成する張出し板を設け、前記張出し板を前記筐体の側板方向へ伸長させて把手部としたことを特徴とするノイズフィルタ。
【請求項３】
前記張出し板は、前記端子台に隣接した端板に締着されたＬ形部材で構成し、前記Ｌ形部材を、前記把手部としたことを特徴とする請求項１または２に記載のノイズフィルタ。
【請求項４】
前記張出し板は、前記端子台に隣接した端板の縁部をＬ形に外方へ折曲して形成し、前記張出し板を把手部としたことを特徴とする請求項１または２に記載のノイズフィルタ。
【発明の詳細な説明】
【技術分野】
【０００１】
本発明はノイズフィルタに関し、特に、フイルタの外殻ケースとなる筐体の両端部にアース端子の取付け部を兼ねた把手を設けて持ち運びや他の機器への取付け作業を容易にした大型のノイズフィルタに関する。
【背景技術】
【０００２】
従来、電源ラインや通信ライン等を経由して外部から電気、電子機器内に侵入するノイズにより、これらの機器が誤作動するのを防止するため、種々のノイズフィルタが開発されている。これらのノイズフィルタはチョークコイルおよびコンデンサの複合部品で構成され、通常はフィルタの外殻ケースを形成する筐体内に収容され、電源あるいは外部機器と接続する端子部やアース端子部が前記筐体の端部に集めて形成されている。例えば特許文献１には、トロイダル形磁心に巻線したコモンモードチョークコイルを電源ラインに接続することでラインに流れるノイズを減衰するノイズフィルタが記載されているが、これはトロイダル形磁心を内蔵するものの、その全体外形は概ね直方体形の筐体（シールドケース）で覆われ、かつ、その長手方向両端部には複数個の外部接続端子部が露出して設けられ、また、筐体の底面板をフランジ状に外側へ張り出して外部機器への取付け部を形成するとともに、この張出しフランジ部に端子部を設けた構成としている。
【０００３】
また、特許文献２には、電子機器への取付け高さを低くするために、フィルタの外殻ケースの側部を傾斜面に形成し、この傾斜面に対して垂直に入力端子やアース端子のインレットケースを配置し、底面に取付けフランジを張り出させたノイズフィルタが記載されている。さらに、特許文献３には電源接続コネクタとなるインサート部材とインレット部材の２種類の外部端子部を選択的に接続できる共通接続部をフィルタ本体側に設けたノイズフィルタが開示されている。
【先行技術文献】
【特許文献】
【０００４】
【特許文献１】特開２００５−１９８１４６号特許公開公報
【特許文献２】特開２０１０−１６８５４号特許公開公報
【特許文献３】特開２００６−２６９４６７号特許公開公報
【発明の概要】
【発明が解決しようとする課題】
【０００５】
上述したノイズフィルタはいずれも片手で軽く持ち運びできる程度の小形のフィルタであるが、中には両手で持ち上げなければならないような大型のノイズフィルタも存在する。この大型ノイズフィルタにあっては、かなり重量もあり、しかも外形は特段の突出部もない直方体形のものが多いので、持ち運びや対象とする設備機器に取り付ける際の扱いに不便を伴なう。特に、大型の電源設備など大型電気・電子機器に対してはノイズフィルタも大型となり、このような大型ノイズフィルタを前記機器の鉛直な側板部分にボルト止めで取り付けるような場合は、２人掛りの作業を強いられ、作業中に落下事故等を起こす危険があった。このため、特に大型のノイズフィルタでは、直方体形の筐体の適当な位置に、持ち運びや取付け設置時の支え用となる把手を設けているが、前記筐体の上面あるいは側面から前記把手が張り出し、狭い取付けスペースでは他の機器の邪魔になる等の問題があり、また、フィルタの筐体に別体で把手を設けるので、そのための部品数や把手の取付け工数が増え、コスト高となる問題があった。
【０００６】
本発明はこのような事情に鑑みてなされたものであり、スィルタの筐体（ケース）の端部に形成されるアース端子の取付け部を利用し、このアース端子の取付け部の形状を僅かに変更するのみで把手部を形成したノイズフィルタを提供することにある。
【０００７】
本発明はまた、別途の把手専用の部品を新たに付加することなく把手の機能を有し、また、前記ケースの側面や上面には把手のための突出部を有せず、狭いスペースでも隣接した他の機器と干渉せずに取り付けることができるノイズフィルタを提供することにある。
【課題を解決するための手段】
【０００８】
上記目的を達成するため本発明に係るノイズフィルタは、フィルタ回路部を囲包する外殻筐体の端子台に隣接して該筐体の両端部に、アース端子を保持する張出し板を設け、前記張出し板を前記筐体の側板方向へ伸長させて把手部としたことを特徴とするものである。
【０００９】
また、フィルタ回路部を囲包する外殻筐体の端子台に隣接して該筐体の両端部に、アース端子を形成する張出し板を設け、前記張出し板を前記筐体の側板方向へ伸長させて把手部としたことを特徴とするノイズフィルタ。
【００１０】
本発明の１つの形態によれば、前記張出し板は、前記端子台に隣接した端板に締着されたＬ形部材で構成し、前記Ｌ形部材を、把手部としたノイズフィルタが提供される。
【００１１】
本発明のさらに他の形態によれば、前記張出し板は、前記端子台に隣接した端板の縁部をＬ形に外方へ折曲して形成し、前記張出し板を把手部としたノイズフィルタが提供される。
【発明の効果】
【００１２】
本発明のノイズフィルタでは、フィルタ筐体の端子台に隣接して該筐体の両端部に、アース端子を有する張出し板を設け、この張出し板を把手部としたので、アース端子の取付け部の張出し部分に手を掛けて持ち運びすることができ、また、電気・電子設備の鉛直な側面に設置する場合にも安全かつ容易に設置作業を行うことができる。前記張出し板は、前記筐体の側板方向に延在させたので、筐体全体が大形化することがなく、また、把手専用の部材を新たに設ける必要がないので、コスト低減が図られる。
【図面の簡単な説明】
【００１３】
【図１】本願発明の実施例１に係るノイズフィルタの外観斜視図である。
【図２】図１に示すノイズフィルタの側面図である。
【図３】図１に示すノイズフィルタの長手方向端部の正面図である。
【図４】図１に示すノイズフィルタの平面図である。
【図５】本願発明の実施例２に係るノイズフィルタの外観斜視図である。
【図６】図５に示すノイズフィルタの側面図である。
【図７】図５に示すノイズフィルタの長手方向端部の正面図である。
【図８】図５に示すノイズフィルタの平面図である。
【発明を実施するための形態】
【００１４】
次に、本発明を図面を参照して各種の実施例について説明する。なお、これらの実施例はいずれも大型のノイズフィルタについて例示したものであるが、本発明はこのような大型のものに限定されず、また、内部の回路構成も単相あるいは三相回路、その他の形態のものにも同様に適用可能である。
【実施例１】
【００１５】
図１〜図３を参照すれば、実施例１に係る大型ノイズフィルタ１は、ライン−グラウンド間に流れるノイズを減衰させるチョークコイルおよび各種のコンデンサ（Ｃｘコンデンサ、Ｃｙコンデンサ等）から成るフィルタ回路部（図示せず）が全体として直方体形ないし台形状の外殻ケース（筐体）２に収容されている。この外殻ケース２は対象とする機器（図示省略）への取付け穴３を備えた底板４と、左右の側板５と、後述する端子台６を露出させた長手方向前後部の端板７（上側端板１１、下側端板１２）と、側板５および端板７の上縁に結合される上板８とを有している。図示のように側板５および上板８には内部の熱を逃がす通気用の溝孔９が形成されている。
【００１６】
端子台６はケース２の長手方向両端部の開口部に、かつ左右の側板５に挟まれるようにして該側板に止めねじ１０によって固着されている。図１および図３に明示されるように、端子台６の上部と上板８との間、および端子台６の下部と底板４との間は、それぞれ上側端板１１および下側端板１２によって閉塞されている。なお、上側端板１１は上板８の端部をＬ形に折曲して構成し、これによって上側端板１１と上板８とを一体の板部材とすることもできる。また、底板４と側板５は折曲げ加工による一体の部材で構成してもよいことは勿論である。端子台６上には、電源端子その他外部機器に接続される各種の端子部１３が設けられており、また、端子台６の下側に位置する下側端板１２には、この実施例１では、Ｌ形に折曲したＬ形部材１４が止めねじ１５等の手段で固着されている。Ｌ形部材１４の一辺部、具体的にはＬ形の上側の上辺部１４ａにはアース端子１６が設けられている。
【００１７】
Ｌ形部材１４はケース２の長手方向に対して横方向、つまり左右の両側板５に向く方向に長く延びた形状となっており、また、アース端子１６はＬ形部材１４の上辺部１４ａの片隅近くに取り付けられている。端子台６および上側、下側端板１１，１２の構成はケース２の長手方向前後部でほぼ同じ構成となっており、Ｌ形部材１４はケース前後部の端板７に同様の形態で設けられている。
【００１８】
このような構成により、図示の大型のノイズフィルタ１はＬ形部材１４の張り出した上辺部１４ａに手を掛けて持ち運びすることができ、したがってこの実施例では、Ｌ形部材１４の上辺部１４ａがアース端子１６の取付け部を兼ねたノイズフィルタ１の把手部となっている。また、持ち運びだけでなく、機器への取付け作業においても、例えば機器の鉛直な側面にノイズフィルタ１を取り付ける場合にも、底板４に手を掛けることなく把手部となるＬ形部材１４を手でつかんで持ち上げ、底板部分を前記機器の鉛直な側面に当てて取り付けることにより、安全な作業で容易に大型ノイズフィルタ１の取り付けを行うことができる。また、従来のアース端子を保持する部材（Ｌ形の駒部材）またはアース端子台そのものを横方向に長く延ばすだけで把手部とすることができ、把手専用の特別な部材を新たに設ける必要がなく、製造コストの低減を図ることができる。さらに、本実施例の把手部、即ちＬ形部材１４は左右側板５の間に挟まれるように設けられており、図２にも示すように、側板５や上板８の外面には突出していないので、狭い取付けスペースでも他の機器や部品の邪魔になることはない。
【００１９】
また、実施例１のバリエーションとして、アース端子自体をＬ形部材にて形成し、把手部としての機能とアース端子部としての機能を一の部材で兼ねるようにしてもよい。
【実施例２】
【００２０】
本発明の実施例２に係るノイズフィルタ２０は図４〜図６に示されている。この実施例２では、外殻ケース２の底板４、左右側板５および上板８は実施例１と同様であって、全体として直方体形あるいは側面視台形状の外形を有している。また、ケース２の長手方向前後部に、かつ両側板５に挟まれるように配置された端子台６も図１〜図３の実施例１と同様であり、異なる部分はケース長手方向の前後部の端部に形成される端板２１（上側端板２２，下側端板２３）およびこの端板２１に設けられる把手部の形態が異なる。
【００２１】
図４〜図６を参照すれば、実施例１と同様に、ライン−グラウンド間に流れるノイズを減衰させるチョークコイルおよび各種のコンデンサ（Ｃｘコンデンサ、Ｃｙコンデンサ等）から成るフィルタ回路部（図示せず）が全体として直方体形あるいは台形状の外殻ケース（筐体）２に収容されている。この外殻ケース２は対象とする機器（図示省略）への取付け穴３を備えた底板４と、左右の側板５と、端子台６を露出させた長手方向前後部の端板２１と、側板５および端板２１の上縁に結合される上板８とを有している。図示のように側板５および上板８には実施例１と同様に内部の熱を逃がす通気用の溝孔９が形成されている。
【００２２】
ケース２の長手方向両端部の端板から露出し、かつ左右側板５に挟まれた端子台６上には、電源端子その他外部機器と接続される各種の端子部１３が設けられており、また、端子台６と底板４との間、および端子台６と上板８との間は、それぞれ下側端板２３および上側端板２２によって閉塞されている。なお、実施例１と同様に、上側端板２２は上板８の端部をＬ形に折曲して構成し、これによって上側端板２２と上板８とを一体の板部材として構成することもできる。また、底板４と側板５は折曲げ加工による一体の板部材で構成してもよい。端子台６は、ケース２の長手方向両端部の開口部に、かつ左右の側板５に挟まれるようにして該側板に止めねじ１０によって固着されている。
【００２３】
実施例２においては、端子台６の下側に位置する下側端板２３の上縁はケース２の長手方向外側へ張り出すようにＬ形に折曲されている。この折り曲げた張出し部１７はケース２の横方向、つまり左右側板５に向く方向に長く延びており、その片隅部にアース端子１６が設けられている。なお、実施例２では、この張出し部１７はケース２の長手方向前後部の端板２１に同様の形態で、端子台１３の下側の端板２３の上縁に一体に折曲げ加工によって形成されている。
【００２４】
このような構成により、Ｌ形部材は把手部としての機能とアース端子部としての機能を一の部材で兼ねるようになっている。図示の大型のノイズフィルタ２０を端板２１の張出し部１７に手を掛けて持ち運びすることができ、したがって実施例２では、張出し部１７がアース端子の取付け部を兼ねたノイズフィルタ２０の把手部となっている。また、持ち運びだけでなく、大型機器への取付け作業においても、例えば前記機器の鉛直な側面に取り付ける場合にも、底板４に手を掛けることなく張出し部１７の把手部を手で挟んで持ち上げ、底板部分を前記機器の鉛直な側面に当てて取り付けることにより、安全な作業で容易に取り付けを行うことができる。また、アース端子を保持するための折曲げ張出し部１７を横方向に長く延ばすだけで把手部とすることができ、把手専用の特別な部材を新たに設ける必要がなく、製造コストの低減を図ることができる。
【００２５】
さらに、本実施例の把手部は左右側板５の間に挟まれるように形成されており、図５にも示すように側板５や上板８の外面には何ら突出していないので、狭い取付けスペースでも他の機器や部品の邪魔になることはない。特に、実施例２では端子台６下方の下側端板２３を板金の折曲げ加工で簡単に形成でき、把手のための新たな部品を付加する必要もなく、きわめてシンプルで製造コストの低減化を図れる利点がある。
【００２６】
実施例２の場合は、アース端子１６を保持するための部材を設ける必要がなく、単に端子台６に隣接した端板の縁部を折り曲げるだけで把手部の機能とアース端子の保持機能を持たせることができ、製造工数が増えることがなく、より一層コスト低減化がもたらされる。
【００２７】
また、実施例２のバリエーションとして、アース端子自体をＬ形部材にて形成し、把手部としての機能とアース端子部としての機能を一の部材で兼ねるようにしてもよい。
【００２８】
なお、実施例１，２において、アース端子を保持するＬ形部材１４あるいは張出し部１７のケース長手方向の幅長さＨ（図１，図４）は、ここに手を掛けてノイズフィルタ１，２０を持ち上げるのに必要な長さに形成される。この場合、適用するノイズフィルタの大きさ、重量によっても異なるが、好ましくは取付け穴３をもつ底板４より外側にはみ出さない程度の幅長さとするのがよい。
【００２９】
また、本実施例においては、アース端子を保持する部材Ｌ形部材としたが、端板の縁部を更に伸張して屈曲させてコの字形部材としてもよいし、端板の縁部を更に伸張して湾曲させてＵ字形部材としてもよく、把手の形状は上述したものに限られるものではない。
【００３０】
以上説明したように本発明によれば、アース端子の取付け部を利用して把手を形成することにより、ノイズフィルタの外殻ケースに持ち運びのための専用の把手を別途設ける必要がなく、また把手形成のための手数や加工もきわめて簡単であり、把手のためにケース全体が大きくなることもなく、また、把手が他の機器の邪魔になることもなく、製造コストの低減化が図られる。本発明は特に大型〜中型のノイズフィルタに適用して有用である。
【符号の説明】
【００３１】
１，２０  ノイズフィルタ
２  外殻ケース
３  取付け穴
４  底板
５  側板
６  端子台
７，２１  端板
８  上板
９  溝孔
１０  止めねじ  １１，２２  上側端板
１２，２３  下側端板
１３  端子部
１４  Ｌ形部材
１６  アース端子
１７  張出し部
【図１】
2011244408.tif 000003
【図２】
2011244408.tif 000004
【図３】
2011244408.tif 000005
【図４】
2011244408.tif 000006
【図５】
2011244408.tif 000007
【図６】
2011244408.tif 000008
【図７】
2011244408.tif 000009
【図８】
2011244408.tif 000010